(57)【要約】【課題】例えば水道管などの埋設された既設管同士の接続部、または弁と既設管の接続部の補修を水の供給を停止することなく、効率的に簡単かつ確実に行うことができる。【解決手段】交換工程３０は、出現した一部の箇所のボルト１４とナット１５による締め付け箇所に加圧装置４０により締め付け方向に圧力を与える加圧ステップと、加圧装置４０により締め付け方向に圧力を与えた状態で出現した一部の箇所のボルト１４とナット１５の交換を行う交換ステップを有し、接続部１０の全ての箇所のボルト１４とナット１５の交換が終了するまで、掘削ステップ、加圧ステップ、交換ステップを繰り返してボルト１４とナット１５の交換を行う。また、掘削ステップ後、接続部１０の全ての箇所のボルト１４とナット１５の交換が終了するまで、加圧ステップ、交換ステップを繰り返してボルト１４とナット１５の交換を行う。【選択図】図１
2013200009.tif 000002
【特許請求の範囲】
【請求項１】
埋設された既設管同士の接続部、または弁と既設管の接続部は、シール材を介して接合され、複数個所をボルトとナットにより締め付けた構造であり、
前記接続部のボルトとナットの出現の有無を確認しながら地盤を掘削して縦穴を施工する掘削工程と、
前記接続部に接合する圧力を与えながら出現したボルトとナットを交換する交換工程とを有し、
前記掘削工程は、地盤を掘削して複数個所のうち一部の箇所のボルトとナットによる締め付け箇所を出現させる掘削ステップを有し、
前記交換工程は、出現した一部の箇所のボルトとナットによる締め付け箇所に加圧装置により締め付け方向に圧力を与える加圧ステップと、
前記加圧装置により締め付け方向に圧力を与えた状態で出現した一部の箇所のボルトとナットの交換を行う交換ステップを有し、
前記接続部の全ての箇所のボルトとナットの交換が終了するまで、前記掘削ステップ、
前記加圧ステップ、前記交換ステップを繰り返してボルトとナットの交換を行うことを特徴とする既設管接続部補修工法。
【請求項２】
埋設された既設管同士の接続部、または弁と既設管の接続部は、シール材を介して接合され、複数個所をボルトとナットにより締め付けた構造であり、
前記接続部のボルトとナットの出現の有無を確認しながら地盤を掘削して縦穴を施工する掘削工程と、
前記接続部に接合する圧力を与えながら出現したボルトとナットを交換する交換工程とを有し、
前記掘削工程は、地盤を掘削して複数個所の全ての箇所のボルトとナットによる締め付け箇所を出現させる掘削ステップを有し、
前記交換工程は、出現した複数個所の一部の箇所のボルトとナットによる締め付け箇所に加圧装置により締め付け方向に圧力を与える加圧ステップと、
前記加圧装置により締め付け方向に圧力を与えた状態で出現した一部の箇所のボルトとナットの交換を行う交換ステップを有し、
前記掘削ステップ後、前記接続部の全ての箇所のボルトとナットの交換が終了するまで、前記加圧ステップ、前記交換ステップを繰り返してボルトとナットの交換を行うことを特徴とする既設管接続部補修工法。
【発明の詳細な説明】
【技術分野】
【０００１】
この発明は、例えば水道管などの埋設された既設管同士の接続部、または弁と既設管の接続部の補修を行う既設管接続部補修工法に関する。
【背景技術】
【０００２】
近年都市の過密化により、水道管等の既設管の維持管理に要する費用は増大の傾向にあり、費用の低減は技術開発の大きなニーズになっている。このようなニーズに対応するために、既に埋設してある既設管の機能を生かし、且つ効率的な既設管の維持管理を実現するために開発が進められている。
【０００３】
このような既設管を対象として、その管内に液状樹脂を導入してライニングを施工するような補修工法は従来より知られている。例えば、特開昭６３−１７５６７７  号には、ライニング樹脂を収容管に入れ、これを補修を有する供給管に接続した後、コンプレッサーによる加圧ガスを収容管に供給し、収容管内のライニング樹脂を一定速度で移動させることで、長尺管内を迅速にライニングする方法が記載されている。
【先行技術文献】
【特許文献】
【０００４】
【特許文献１】特開昭６３−１７５６７７号公報
【発明の概要】
【発明が解決しようとする課題】
【０００５】
このように、既設管の内面をライニングして補修する工法が知られているが、埋設された既設管同士の接続部、または弁と既設管の接続部は、パッキンなどのシール材を介して接合され、複数個所をボルトとナットにより締め付けた構造であり、この接続部ではボルトやナットが腐食などにより締め付け力が低下し、例えば水道管では漏水するようになり、ライニングして補修する工法では対応することができない。
【０００６】
この接続部での漏水は、ボルトやナットが腐食するためであり、例えば水道管の場合には、ボルトやナットが腐食する前に既存のボルトやナットを定期的に交換するようにすると、簡単かつ確実に接続部の補修を行うことができる。
【０００７】
例えば水道管の場合には、水の供給を停止することなく、ボルトやナットの交換を行うと効率的に作業を行うことができるが、接続部に大きな内部圧力がかかっており、既存のボルトやナットの交換時にシール部材との間から漏水するなどの問題がある。
【０００８】
この発明は、かかる点に鑑みてなされたもので、例えば水道管などの埋設された既設管同士の接続部、または弁と既設管の接続部の補修を水の供給を停止することなく、効率的に簡単かつ確実に行うことができる既設管接続部補修工法を提供することを目的とする。
【課題を解決するための手段】
【０００９】
かかる課題を解決するために、この発明は、以下のように構成した。
【００１０】
請求項１に記載の発明は、埋設された既設管同士の接続部、または弁と既設管の接続部は、シール材を介して接合され、複数個所をボルトとナットにより締め付けた構造であり、
前記接続部のボルトとナットの出現の有無を確認しながら地盤を掘削して縦穴を施工する掘削工程と、
前記接続部に接合する圧力を与えながら出現したボルトとナットを交換する交換工程とを有し、
前記掘削工程は、地盤を掘削して複数個所のうち一部の箇所のボルトとナットによる締め付け箇所を出現させる掘削ステップを有し、
前記交換工程は、出現した一部の箇所のボルトとナットによる締め付け箇所に加圧装置により締め付け方向に圧力を与える加圧ステップと、
前記加圧装置により締め付け方向に圧力を与えた状態で出現した一部の箇所のボルトとナットの交換を行う交換ステップを有し、
前記接続部の全ての箇所のボルトとナットの交換が終了するまで、前記掘削ステップ、前記加圧ステップ、前記交換ステップを繰り返してボルトとナットの交換を行うことを特徴とする既設管接続部補修工法である。
【００１１】
請求項２に記載の発明は、埋設された既設管同士の接続部、または弁と既設管の接続部は、シール材を介して接合され、複数個所をボルトとナットにより締め付けた構造であり、
前記接続部のボルトとナットの出現の有無を確認しながら地盤を掘削して縦穴を施工する掘削工程と、
前記接続部に接合する圧力を与えながら出現したボルトとナットを交換する交換工程とを有し、
前記掘削工程は、地盤を掘削して複数個所の全ての箇所のボルトとナットによる締め付け箇所を出現させる掘削ステップを有し、
前記交換工程は、出現した複数個所の一部の箇所のボルトとナットによる締め付け箇所に加圧装置により締め付け方向に圧力を与える加圧ステップと、
前記加圧装置により締め付け方向に圧力を与えた状態で出現した一部の箇所のボルトとナットの交換を行う交換ステップを有し、
前記掘削ステップ後、前記接続部の全ての箇所のボルトとナットの交換が終了するまで、前記加圧ステップ、前記交換ステップを繰り返してボルトとナットの交換を行うことを特徴とする既設管接続部補修工法である。
【発明の効果】
【００１２】
前記構成により、この発明は、以下のような効果を有する。
【００１３】
請求項１に記載の発明では、交換工程は、出現した一部の箇所のボルトとナットによる締め付け箇所に加圧装置により締め付け方向に圧力を与える加圧ステップと、加圧装置により締め付け方向に圧力を与えた状態で出現した一部の箇所のボルトとナットの交換を行う交換ステップを有し、接続部の全ての箇所のボルトとナットの交換が終了するまで、掘削ステップ、加圧ステップ、交換ステップを繰り返してボルトとナットの交換を行うことで、接続部のシール材がずれたり、シール材への締め付け力が低下することがない。したがって、例えば水道管などの埋設された既設管同士の接続部、または弁と既設管の接続部の補修を水の供給を停止することなく、効率的に簡単かつ確実に行うことができる。
【００１４】
請求項２に記載の発明では、交換工程は、出現した複数個所の一部の箇所のボルトとナットによる締め付け箇所に加圧装置により締め付け方向に圧力を与える加圧ステップと、加圧装置により締め付け方向に圧力を与えた状態で出現した一部の箇所のボルトとナットの交換を行う交換ステップを有し、掘削ステップ後、接続部の全ての箇所のボルトとナットの交換が終了するまで、加圧ステップ、交換ステップを繰り返してボルトとナットの交換を行うことで、接続部のシール材がずれたり、シール材への締め付け力が低下することがない。例えば水道管などの埋設された既設管同士の接続部、または弁と既設管の接続部の補修を水の供給を停止することなく、効率的に簡単かつ確実に行うことができる。
【図面の簡単な説明】
【００１５】
【図１】第１の実施の形態の既設管接続部補修工法を示す図である。
【図２】加圧装置の正面図である。
【図３】加圧装置の側面図である。
【図４】第２の実施の形態の既設管接続部補修工法を示す図である。
【発明を実施するための形態】
【００１６】
以下、この発明の既設管接続部補修工法の実施の形態について説明する。この発明の実施の形態は、発明の最も好ましい形態を示すものであり、この発明はこれに限定されない。
【００１７】
［第１の実施の形態］
この発明の既設管接続部補修工法の第１の実施の形態を、図１に基づいて説明する。この実施の形態は、埋設された既設管同士の接続部、または弁と既設管の接続部の補修に適用され、この接続部１０は、埋設された既設管同士１１，１２がシール材１３を介して接合され、複数個所をボルト１４とナット１５により締め付けた構造である（図１（ａ））。この実施の形態では、埋設された既設管同士の接続部１０の補修について説明するが、弁と既設管の接続部についても同様に適用される。また、既設管は、水道管に適用したが、ガス管、下水管などにも同様に適用することができる。シール材１３としては、パッキンが用いられるが、既設管によってはガスケット、シールなどが用いられる。
【００１８】
この実施の形態は、接続部１０のボルト１４とナット１５の出現の有無を確認しながら地盤を掘削して縦穴を施工する掘削工程２０と、接続部１０に接合する圧力を与えながら出現した既存のボルト１４とナット１５を新たなボルト１４とナット１５と交換する交換工程３０とを有する。
【００１９】
掘削工程２０は、地盤を掘削して複数個所のうち一部の箇所のボルト１４とナット１５による締め付け箇所を出現させる掘削ステップを有し、この掘削ステップで地盤の掘削で縦穴が施工され、接続部１０が出現する。
【００２０】
交換工程３０は、出現した一部の箇所のボルト１４とナット１５による締め付け箇所に加圧装置４０により締め付け方向に圧力を与える加圧ステップと、加圧装置４０により締め付け方向に圧力を与えた状態で出現した一部の箇所の既存のボルト１４とナット１５と新たなボルト１４とナット１５との交換を行う交換ステップを有する。
【００２１】
接続部１０の全ての箇所のボルト１４とナット１５の交換が終了するまで、掘削ステップ、加圧ステップ、交換ステップを繰り返してボルト１４とナット１５の交換を行う（図１（ｂ）乃至図１（ｄ））。すなわち、接続部１０の上側の箇所の既存のボルト１４とナット１５が出現すると、接続部１０を加圧して出現した上側の箇所の既存のボルト１４とナット１５を、既存のシール材13を動かさないようにして新たなボルト１４とナット１５と交換する。さらに掘削して次の下側の箇所の既存のボルト１４とナット１５が出現すると、接続部１０を加圧して出現した下側の箇所の既存のボルト１４とナット１５を、同様に既存のシール材13を動かさないようにして新たなボルト１４とナット１５と交換することを繰り返す。このようにして、既存のボルト１４とナット１５が出現すると、既存のシール材13を動かさないようにして出現した部分を加圧し接続部１０の全ての箇所のボルト１４とナット１５の交換が終了すると、掘削した縦穴の埋め戻しが行われる（図１（ｅ））。
【００２２】
この実施の形態では、接続部１０の全ての箇所のボルト１４とナット１５の交換が終了するまで、掘削ステップ、加圧ステップ、交換ステップを繰り返してボルト１４とナット１５の交換を行うことで、ボルト１４とナット１５の交換時には、接続部１０には加圧装置４０による加圧と地盤による土圧が与えられており、接続部１０のシール材１３がずれたり、シール材１３への締め付け力が低下することがない。したがって、例えば水道管などの埋設された既設管同士の接続部、または弁と既設管の接続部の補修を水の供給を停止することなく、ボルト１４とナット１５の交換を効率的に簡単かつ確実に行うことができる。
【００２３】
加圧装置４０を、図２及び図３に基づいて説明する。図２は加圧装置の正面図、図３は加圧装置の側面図である。この実施の形態の加圧装置４０は、一対の加圧アーム４１，４２、駆動部４３、制御部４４を有する。
【００２４】
加圧アーム４１の加圧部４１ａ，４１ａがボルト１４の両側に当てがわれ、加圧アーム４２の加圧部４２ａ，４２ａがナット１５の両側に当てがわれるように構成され、この加圧アーム４１と加圧アーム４２は同様に構成され、どちらをボルト１４またはナット１５に当がってもよい。
【００２５】
駆動部４３は、液圧または空気圧により加圧アーム４１と加圧アーム４２の間隔を狭め、または広げるように作動し、加圧アーム４１と加圧アーム４２の間隔を狭めることで、ボルト１４及びナット１５の両側から加圧する。
【００２６】
制御部４４は、加圧アーム４１と加圧アーム４２の間隔を狭め、または広げるように駆動部４３を制御する。この制御部４４では、接続部１０の管内径に基づいて加圧アーム４１と加圧アーム４２の間隔を狭めてボルト１４及びナット１５の両側から加圧する加圧力を設定することができる。接続部１０の管内径が大きいと、制御部４４では加圧アーム４１と加圧アーム４２による加圧の圧力を大きく設定する。
【００２７】
［第２の実施の形態］
この発明の既設管接続部補修工法の第２の実施の形態を、図４に基づいて説明する。この実施の形態も第１の実施の形態と同様に、埋設された既設管同士の接続部、または弁と既設管の接続部の補修に適用され、この接続部１０は、埋設された既設管同士１１，１２がシール材１３を介して接合され、複数個所をボルト１４とナット１５により締め付けた構造である（図４（ａ））。この実施の形態では、埋設された既設管同士の接続部１０の補修について説明するが、弁と既設管の接続部についても同様に適用される。
【００２８】
この実施の形態は、接続部１０のボルト１４とナット１５の出現の有無を確認しながら地盤を掘削して縦穴を施工する掘削工程２０と、接続部１０に接合する圧力を与えながら出現したボルト１４とナット１５を交換する交換工程３０とを有する。
【００２９】
掘削工程２０は、地盤を掘削して複数個所の全ての箇所のボルト１４とナット１５による締め付け箇所を出現させる掘削ステップを有し、地盤の掘削で縦穴が施工され、接続部１０が出現する。
【００３０】
交換工程３０は、出現した複数個所の一部の箇所のボルト１４とナット１５による締め付け箇所に加圧装置４０により締め付け方向に圧力を与える加圧ステップと、加圧装置４０により締め付け方向に圧力を与えた状態で出現した一部の箇所のボルト１４とナット１５の交換を行う交換ステップを有する。
【００３１】
掘削ステップ後、接続部１０の全ての箇所の既存のボルト１４とナット１５と新たなボルト１４とナット１５の交換が終了するまで、加圧ステップ、交換ステップを繰り返してボルト１４とナット１５の交換を行う（図２（ｂ）乃至図２（ｄ））。すなわち、接続部１０の全ての箇所の既存のボルト１４とナット１５が出現すると、接続部１０を加圧しながら一箇所づつ既存のボルト１４とナット１５と、新たなボルト１４とナット１５の交換することを繰り返す。また、既存のボルト１４とナット１５が出現する毎に加圧していき、接続部１０の全ての箇所の既存のボルト１４とナット１５が出現すると、既存のシール材13が動かないようにして一箇所づつ既存のボルト１４とナット１５の交換を繰り返す。このようにして、接続部１０の全ての既存の箇所のボルト１４とナット１５と新たなボルト１４とナット１５の交換が終了すると、掘削した縦穴の埋め戻しが行われる（図２（ｅ））。
【００３２】
掘削ステップ後、接続部１０の全ての箇所のボルト１４とナット１５の交換が終了するまで、加圧ステップ、交換ステップを繰り返してボルト１４とナット１５の交換を行うことで、ボルト１４とナット１５の交換時には、接続部１０には加圧装置４０による加圧が与えられており、接続部１０のシール材１３がずれたり、シール材１３への締め付け力が低下することがない。したがって、例えば水道管などの埋設された既設管同士の接続部、または弁と既設管の接続部の補修を水の供給を停止することなく、ボルト１４とナット１５の交換を効率的に簡単かつ確実に行うことができる。加圧装置４０は、第１の実施の形態と同様に構成される。
【産業上の利用可能性】
【００３３】
この発明は、例えば水道管などの埋設された既設管同士の接続部、または弁と既設管の接続部の補修を行う既設管接続部補修工法に適用可能であり、例えば水道管などの接続部の補修を水の供給を停止することなく、効率的に簡単かつ確実に行うことができる。
【符号の説明】
【００３４】
１０  接続部
１１，１２  埋設された既設管
１３  シール材
１４  ボルト
１５  ナット
２０  掘削工程
３０  交換工程
４０  加圧装置
４１，４２  一対の加圧アーム
４１ａ，４１ａ  加圧部
４２ａ，４２ａ  加圧部
４３  駆動部
４４  制御部
【図１】
2013200009.tif 000003
【図２】
2013200009.tif 000004
【図３】
2013200009.tif 000005
【図４】
2013200009.tif 000006
【手続補正書】
【提出日】平成24年3月30日(2012.3.30)
【手続補正１】
【補正対象書類名】図面
【補正対象項目名】図４
【補正方法】変更
【補正の内容】
【図４】
2013200009.tif 000007